(57)【要約】      （修正有）【課題】ファスナー及びフレームを同時にロックすることができるバッグロックを提供する。【解決手段】第一接続座１１と第二接続座１２を含み、第一接続座と第二接続座がそれぞれバッグの両フレームに取り付けられることができ、且つ第一接続座と第二接続座が相対的に移動して開閉することができる基体と、基体に設置され、バッグのファスナーヘッド５０を基体に固定することができるロック解除可能な第一ロック機構及び第一接続座と第二接続座を閉鎖状態に固定するためのロック解除可能な第二ロック機構を含むロック装置とを含む。本考案はファスナーとフレームをロックすることができ、二重ロック効果を達成し、バッグの盗難防止性能を効果的に向上させることができ、且つ構造がより強固で確実であり、ファスナーが古くて破損することによりバッグが不用意に開けられることが容易ではなく、使用しやすい。【選択図】図３
0003216289.tif 000002
【実用新案登録請求の範囲】
【請求項１】
ファスナー及びフレームを同時にロックすることができるバッグロックであって、
第一接続座（１１）と第二接続座（１２）を含み、前記第一接続座（１１）と第二接続座（１２）がそれぞれバッグの両フレームに取り付けられることができ、且つ前記第一接続座（１１）と第二接続座（１２）が相対的に移動して開閉することができる基体と、
基体に設置され、バッグのファスナーヘッド（５０）を基体に固定することができるロック解除可能な第一ロック機構及び前記第一接続座（１１）と第二接続座（１２）を閉鎖状態に固定するためのロック解除可能な第二ロック機構を含むロック装置とを含むことを特徴とするバッグロック。
【請求項２】
前記ロック装置はさらに前記第一ロック機構と第二ロック機構の動作を制限して第一ロック機構と第二ロック機構をロック状態に維持することに用いられるロック解除可能な錠止装置を含むことを特徴とする請求項１に記載のファスナー及びフレームを同時にロックすることができるバッグロック。
【請求項３】
前記第一ロック機構は、押動第一ロック機構をロック状態とロック解除状態との間で切り換えるように手動で押動されることができる第一押動部材（２１）を含み、第二ロック機構は、押動第二ロック機構をロック状態とロック解除状態との間で切り換えるように手動で押動されることができる第二押動押動部材（３１）を含み、前記錠止装置は第一押動部材（２１）と第二押動部材（３１）の動作を制限して第一ロック機構と第二ロック機構をロック状態に維持することに用いられることを特徴とする請求項２に記載のファスナー及びフレームを同時にロックすることができるバッグロック。
【請求項４】
前記第一押動部材（２１）と第二押動部材（３１）はいずれも手動で押動されて基体に対して左右に移動して第一ロック機構と第二ロック機構をそれぞれロック解除又はロックすることができ、前記錠止装置は第一錠止部材（４１）と第二錠止部材（４２）を含み、前記第一錠止部材（４１）が第一押動部材（２１）と第二押動部材（３１）のいずれか一つに回転可能に設置され、第二錠止部材（４２）が第一押動部材（２１）と第二押動部材（３１）のいずれか一つに設置され、前記第一錠止部材（４１）の回転がロックコア（４３）によって駆動され、前記第一錠止部材（４１）に第一錠止部（４１１）と第二錠止部（４１２）があり、前記第二錠止部材（４２）に第三錠止部（４２１）があり、
第一ロック機構と第二ロック機構がいずれもロック状態にある場合、前記第一錠止部（４１１）と第三錠止部（４２１）は左右揃え且つ互いに当接して第一押動部材（２１）と第二押動部材（３１）をロック解除方向へ移動するように制限することができ、
前記ロックコア（４３）により前記第一錠止部材（４１）を駆動して第二錠止部（４１２）と第三錠止部（４２１）が左右揃えるまで回転させることができ、この時に第二錠止部（４１２）と第三錠止部（４２１）との間に左右に一定の距離を置いて第一押動部材（２１）と第二押動部材（３１）がロック解除方向へ移動することが可能となるようにすることを特徴とする請求項３に記載のファスナー及びフレームを同時にロックすることができるバッグロック。
【請求項５】
前記基体に第一ストッパ部（１３）と第二ストッパ部（１４）が設置され、前記第一ストッパ部（１３）は第一錠止部材（４１）に当接して第一錠止部材（４１）がロック解除方向と逆に移動する距離を制限することができ、前記第二ストッパ部（１４）は第二錠止部材（４２）に当接して第二錠止部材（４２）がロック解除方向と逆に移動する距離を制限することができることを特徴とする請求項４に記載のファスナー及びフレームを同時にロックすることができるバッグロック。
【請求項６】
前記第一錠止部材（４１）の側壁に円弧状の第一ガイド面（４１３）があり、第一ストッパ部（１３）に第一ガイド面（４１３）に適合する第二ガイド面（１３１）があり、前記第一ガイド面（４１３）が第二ガイド面（１３１）に摺動可能に当接して第一錠止部材（４１）が第一ストッパ部（１３）に当接する時に前記ロックコア（４３）によって駆動されて回転することが可能になるようにすることを特徴とする請求項５に記載のファスナー及びフレームを同時にロックすることができるバッグロック。
【請求項７】
前記第二錠止部材（４２）と基体との間に弾性リセット部材が設置され、前記弾性リセット部材は第二錠止部材（４２）がロック解除位置に移動した後に第二錠止部材（４２）を押動してロック位置に復帰移動させることに用いられることを特徴とする請求項４に記載のファスナー及びフレームを同時にロックすることができるバッグロック。
【請求項８】
前記第一ロック機構はさらに第一押動部材（２１）に設置された第一ロックピン（２１１）を含み、ファスナーヘッド（５０）に第一ロックピン（２１１）に適合する第一ロック穴（５１）が設置され、前記第一押動部材（２１）は第一ロックピン（２１１）が第一ロック穴（５１）に挿入されてファスナーヘッド（５０）を基体に固定するまで手動で押動されて横方向に移動することができることを特徴とする請求項３に記載のファスナー及びフレームを同時にロックすることができるバッグロック。
【請求項９】
前記第二ロック機構はさらに、
第一接続座（１１）に設置され、その上に第二ロック穴（３２１）がある第一ロック部材(３２)と、
第二接続座（１２）に可動に設置され、その上に第二ロック穴（３２１）に適合する第二ロックピン（３３１）がある第二のロック部材(３３)とを含み、
前記第二押動部材（３１）が駆動機構によって第二ロック部材（３３）に接続されるため、第二押動部材（３１）により第二ロック部材（３３）を、第二ロックピン（３３１）が第二ロック穴（３２１）に挿入されて第一接続座（１１）と第二接続座（１２）を閉鎖状態に固定するまで押動することができることを特徴とする請求項３に記載のファスナー及びフレームを同時にロックすることができるバッグロック。
【請求項１０】
前記駆動機構は第二押動部材（３１）に設置された駆動部材（３４）を含み、前記第二ロック部材（３３）が前後方向に平行な枢着軸（３５）により第二接続座（１２）に枢着され、第二ロック部材（３３）に前記枢着軸(３５)からオフセットする第一ガイドブロック（３６１）と第二ガイドブロック（３６２）があり、前記駆動部材（３４）に前記第一ガイドブロック（３６１）に適合する第一ガイド面と第二ガイドブロック（３６２）に適合する第二ガイド面（３４２）が設置され、駆動部材（３４）の第二接続座（１２）に対する左右移動に伴い、第一ガイド面と第二ガイド面（３４２）はそれぞれ第一ガイドブロック（３６１）と第二ガイドブロック（３６２）に摺動可能に当接して第二ロック部材（３３）を前記枢着軸（３５）の周りに往復揺動するように駆動して第二ロックピン（３３１）を第二ロック穴（３２１）に挿入させ又は第二ロック穴（３２１）から移出させることを特徴とする請求項９に記載のファスナー及びフレームを同時にロックすることができるバッグロック。
【考案の詳細な説明】
【技術分野】
【０００１】
本考案はバッグロックに関する。
【背景技術】
【０００２】
スーツケース、旅行バッグなどのバッグにバッグロックが取り付けられて盗難防止機能を果たすことは一般的であり、従来のバッグロックは、一般的にバックにおけるファスナーのファスナーヘッドのみを固定し、他人がファスナーヘッドを使用してファスナーを開いてさらにバッグを開けることを防止するが、ファスナー自体の構造が破壊されやすいので、他人はファスナーを直接破壊してバッグを開けることができ、その結果、バッグロックは所定の盗難防止機能を果たすことができなく、且つ長期間に渡って使用した後、ファスナーが摩耗しやすく、大きな外力を受けると自動的に裂開しやすくてバッグが開かれ、それによってバッグ内の物品が零れ落ち、使用にいくつかの不便をもたらす。
【考案の概要】
【考案が解決しようとする課題】
【０００３】
上記問題を解決するために、本考案は強固で確実であり、盗難防止性能に優れるファスナーとフレームを同時にロックすることができるバッグロックを提供することを目的とする。
【課題を解決するための手段】
【０００４】
その技術的問題を解決するために本考案で用いられる技術的解決手段は以下の通りである：
【０００５】
ファスナー及びフレームを同時にロックすることができるバッグロックは、
第一接続座と第二接続座を含み、前記第一接続座と第二接続座がそれぞれバッグの両フレームに取り付けられることができ、且つ前記第一接続座と第二接続座が相対的に移動して開閉することができる基体と、基体に設置され、バッグのファスナーヘッドを基体に固定することができるロック解除可能な第一ロック機構及び前記第一接続座と第二接続座を閉鎖状態に固定するためのロック解除可能な第二ロック機構を含むロック装置とを含む。
【０００６】
好ましくは、前記ロック装置はさらに前記第一ロック機構と第二ロック機構の動作を制限して第一ロック機構と第二ロック機構をロック状態に維持することに用いられるロック解除可能な錠止装置を含む。
【０００７】
好ましくは、前記第一ロック機構は第一ロック機構をロック状態とロック解除状態との間で切り換えるように手動で押動されることができる第一押動部材を含み、第二ロック機構は第二ロック機構をロック状態とロック解除状態との間で切り換えるように手動で押動されることができる第二押動部材を含み、前記錠止装置は第一押動部材と第二押動部材の動作を制限して第一ロック機構と第二ロック機構をロック状態に維持することに用いられる。
【０００８】
好ましくは、前記第一押動部材と第二押動部材はいずれも手動で押動されて基体に対して左右に移動して第一ロック機構と第二ロック機構をそれぞれロック解除或いはロックすることができ、前記錠止装置は第一錠止部材と第二錠止部材を含み、前記第一錠止部材が第一押動部材と第二押動部材のいずれか一つに回転可能に設置され、第二錠止部材が第一押動部材と第二押動部材のいずれか一つに設置され、前記第一錠止部材の回転がロックコアによって駆動され、前記第一錠止部材に第一錠止部と第二錠止部があり、前記第二錠止部材に第三錠止部があり、
第一ロック機構と第二ロック機構がいずれもロック状態にある場合、前記第一錠止部と第三錠止部は左右揃え且つ互いに当接して第一押動部材と第二押動部材をロック解除方向へ移動するように制限することができ、
前記ロックコアにより前記第一錠止部材を駆動して第二錠止部と第三錠止部が左右揃えるまで回転させ、この時に第二錠止部と第三錠止部との間に左右に一定の距離を置けて第一押動部材と第二押動部材がロック解除方向へ移動することが可能になるようにする。
【０００９】
好ましくは、前記基体に第一ストッパ部と第二ストッパ部が設置され、前記第一ストッパ部は第一錠止部材に当接して第一錠止部材がロック解除方向と逆に移動する距離を制限することができ、前記第二ストッパ部は第二錠止部材と当接して第二錠止部材がロック解除方向と逆に移動する距離を制限することができる。
【００１０】
好ましくは、前記第一錠止部材の側壁に円弧状の第一ガイド面があり、第一ストッパ部に第一ガイド面に適合する第二ガイド面があり、前記第一ガイド面が第二ガイド面に摺動可能に当接して第一錠止部材が第一ストッパ部に当接する時に前記ロックコアによって駆動されて回転することが可能になるようにする。
【００１１】
好ましくは、前記第二錠止部材と基体との間に弾性リセット部材が設置され、前記弾性リセット部材は第二錠止部材がロック解除位置に移動した後に第二錠止部材を押動してロック位置に復帰移動させることに用いられる。
【００１２】
好ましくは、前記第一ロック機構はさらに第一押動部材に設置された第一ロックピンを含み、ファスナーヘッドに第一ロックピンに適合する第一ロック穴が設置され、前記第一押動部材は第一ロックピンが第一ロック穴に挿入されてファスナーヘッドを基体に固定するまで手動で押動されて横方向に移動することができる。
【００１３】
好ましくは、前記第二ロック機構はさらに、
第一接続座に設置され、その上に第二ロック穴がある第一ロック部材と、
第二接続座に可動に設置され、その上に第二ロック穴に適合する第二ロックピンがある第二ロック部材を含み、
前記第二押動部材が駆動機構により第二ロック部材に接続されるため、第二押動部材により第二ロック部材を、第二ロックピンが第二ロック穴に挿入して第一接続座と第二接続座を閉鎖状態に固定するまで押動することができる。
【００１４】
好ましくは、前記駆動機構は第二押動部材に設置された駆動部材を含み、前記第二ロック部材が前後方向に平行な枢着軸により第二接続座に枢着され、第二ロック部材に前記枢着軸からオフセットする第一ガイドブロックと第二ガイドブロックがあり、前記駆動部材に前記第一ガイドブロックに適合する第一ガイド面と第二ガイドブロックに適合する第二ガイド面が設置され、駆動部材の第二接続座に対する左右移動に従い、第一ガイド面と第二ガイド面はそれぞれ第一ガイドブロックと第二ガイドブロックに摺動可能に当接して第二ロック部材を枢着軸の周りに往復揺動するように駆動して第二ロックピンを第二ロック穴に挿入させ又は第二ロック穴から移出させることができる。
【考案の効果】
【００１５】
本考案は以下の有益な効果を有する：本考案では、ロック装置の第一ロック機構がファスナーヘッドを基体に固定することができ、これにより、ファスナーをロックし、第二ロック機構が第一接続座と第二接続座を閉鎖状態に固定することができ、これにより、バッグの両フレームをロックすることが可能になり、それによって二重ロック効果を達成し、バッグの盗難防止性能を効果的に向上させることができ、且つ構造がより強固で確実であり、ファスナーが古くて破損することによりバッグが不用意に開かれることが容易ではなく、使用しやすい。以下は図面と具体的な実施形態を組み合わせて本考案をさらに詳しく説明する。
【図面の簡単な説明】
【００１６】
【図１】本考案の全体構造図である。
【図２】本考案の使用状態図である。
【図３】本考案の分解図である。
【図４】図３のＡ部分の部分拡大図である。
【図５】本考案の一部の基体を除去した後の分解図である。
【図６】図５におけるＢ部分の部分拡大図である。
【図７】図５におけるＣ部分の部分拡大図である。
【図８】図５におけるＤ部分の部分拡大図である。
【考案を実施するための形態】
【００１７】
図１〜図８を参照すると、ファスナー及びフレームを同時にロックすることができるバッグロックは、第一接続座１１と第二接続座１２を含み、第一接続座１１と第二接続座１２がそれぞれバッグの両フレーム上取り付けられることができ、且つ第一接続座１１と第二接続座１２が相対的に移動して開閉することができる基体と、基体に設置され、バッグのファスナーヘッド５０を基体に固定することができるロック解除可能な第一ロック機構及び第一接続座１１と第二接続座１２を閉鎖状態に固定するためのロック解除可能な第二ロック機構を含むロック装置とを含む。本考案では、ロック装置の第一ロック機構がファスナーヘッド５０を基体に固定することができ、これにより、ファスナーをロックし、第二ロック機構が第一接続座１１と第二接続座１２を閉鎖状態に固定することができ、これにより、バッグの両フレームをロックすることができ、それによって二重ロック効果を達成し、バッグの盗難防止性能を効果的に向上させることができ、且つ構造がより強固で確実であり、ファスナーが古くて破損することによりバッグが不用意に開かれることが容易ではなく、使用しやすい。
【００１８】
本考案において、ロック装置はさらに第一ロック機構と第二ロック機構の動作を制限して第一ロック機構と第二ロック機構をロック状態に維持することに用いられるロック解除可能な錠止装置を含み、該錠止装置はパスワードロック、キーロック、指紋ロックなどの一般的な構造を用いることができ、盗難防止性能を効果的に向上させることが可能である。
【００１９】
本実施例において、第一ロック機構は第一ロック機構をロック状態とロック解除状態との間で切り換えるように手動で押動されることができる第一押動部材２１を含み、第二ロック機構は第二ロック機構をロック状態とロック解除状態との間で切り換えるように手動で押動されることができる第二押動部材３１を含み、錠止装置は第一押動部材２１と第二押動部材３１の動作を制限して第一ロック機構と第二ロック機構をロック状態に維持することに用いられ、構造がシンプルで信頼性が高く、取り付け及び使用が容易である。
【００２０】
本実施例において、第一押動部材２１と第二押動部材３１はいずれも手動で押動されて基体に対して左右に移動して第一ロック機構と第二ロック機構をそれぞれロック解除又はロックすることができ、錠止装置は、第一錠止部材４１と第二錠止部材４２を含み、第一錠止部材４１が第一押動部材２１と第二押動部材３１のいずれか一つに回転可能に設置され、第二錠止部材４２が第一押動部材２１と第二押動部材２１のいずれか一つに設置され、第一錠止部材４１の回転がロックコア４３によって駆動され、第一錠止部材４１に第一錠止部４１１と第二錠止部４１２があり、第二錠止部材４２に第三錠止部４２１があり、第一ロック機構と第二ロック機構がいずれもロック状態にある場合、第一錠止部４１１と第三錠止部４２１は左右揃え且つ互いに当接して第一押動部材２１と第二押動部材３１を、ロック解除方向へ移動するように制御することができ、ロックコア４３により第一錠止部材４１を駆動して第二錠止部４１２と第三錠止部４２１が左右揃えるまで回転させ、この時に第二のロック部４１２と第三錠止部４２１との間に左右に一定の距離を置いて第一押動部材２１と第二押動部材３１がロック解除方向へ移動することが可能になるようにする。ロックコア４３により第一錠止部材４１を駆動して回転して第一錠止部４１１と第二錠止部４１２の位置を変化させ、第一錠止部材４１の第一錠止部４１１と第二錠止部材４２の第三ロック部材４２１との当接により第一ロック機構と第二ロック機構をロックし、及び第一錠止部材４１の第二錠止部４１２と第二錠止部材４２の第三錠止部４２１との離間により第一錠止部材４１と第二錠止部材４２がロック解除方向へ移することができ、これにより第一ロック機構と第二ロック機構がロック解除動作を行うことができ、構造がシンプルで信頼性が高く、取り付け及び使用が容易であり、且つコストが低く、本バッグロックのコストを効果的に削減させることができ、普及及び使用が容易であり、且つバッグの縦置きと横置きにより第一錠止部材４１が回転して第一ロック機構と第二ロック機構が自動的にロック解除することがなく、バッグが不用意に開けられて使用に不便をもたらすことを効果的に防止することができ、より安全で信頼性がある。本実施例において、第一錠止部材４１とロックコア４３が第二押動部材３１に設置され、第二錠止部材４２が第二押動部材３１に設置され、実際の応用において、当然、両者の位置が互換可能である。図１における二つの矢印が指す方向は即ちそれぞれロック解除する場合の第一押動部材２１と第二押動部材３１の移動方向であり、即ち第一錠止部材４１と第二錠止部材４２のロック解除方向である。
【００２１】
基体に第一ストッパ部１３と第二ストッパ部１４が設置され、第一ストッパ部１３は第一錠止部材４１に当接して第一錠止部材４１がロック解除方向と逆に移動する距離を制限することができ、第二ストッパ部１４は第二錠止部材４２に当接して第二錠止部材４２がロック解除方向と逆に移動する距離を制限することができ、第一ストッパ部１３と第二ストッパ部１４により第一錠止部材４１と第二錠止部材４２の移動距離を制限し、第一錠止部材４１と第二錠止部材４２の緩みを防止することができ、故障の発生率を効果的に低下させることができ、本実施例において、第一ストッパ部１３と第二ストッパ部１４はいずれも基体に設置されるボスであり、第二錠止部材４２に第二ストッパ部１４と左右揃えるストッパ面４２２があり、第二錠止部材４２は該ストッパ面４２２を介して第二ストッパ部１４に当接し、当然、実際の応用において、第一ストッパ部１３と第二ストッパ部１４はストッパ溝などの他の一般的な構造を用いることもでき、これに限定されない。本実施例において、第一錠止部材４１と第二錠止部材４２がロック解除方向へ移動する距離は第一押動部材２１及び第二押動部材３１とベースとの間の当接構造により制限されることができ、当然、実際の応用において第一錠止部４１１と第二錠止部４１２との当接など他の一般的な構造により制限されることもできる。
【００２２】
第一錠止部材４１の側壁に円弧状の第一ガイド面４１３があり、第一ストッパ部１３に第一ガイド面４１３に適合する第二ガイド面１３１があり、第一ガイド面４１３は第二ガイド面１３１に摺動可能に当接して第一錠止部材４１が第一ストッパ部１３に当接する時にロックコア４３によって駆動されて回転することが可能になるようにし、第一錠止部材４１の回転に支障をきたすことを回避することができ、且つ第一錠止部材４１の回転の円滑性を確保することができ、構造がシンプルで信頼性が高く、使用しやすい。本実施例において、第一錠止部材４１は略半円柱状を呈し、第一錠止部４１１は第一錠止部材４１における側方向に突出するバンプに位置し、第二錠止部４１２は第一錠止部材４１の断面側壁の溝に位置し、これにより、第一錠止部材４１を回転させるときに第一錠止部材４１と第三ロック部材４２１との間の間隔を変更することができ、構造がシンプルであり、加工と組み立てが容易であり、当然、実際応用において第一錠止部材４１は他の適切な形状と構造を用いることもでき、これに限定されない。
【００２３】
第二錠止部材４２と基体との間に弾性リセット部材（図面に示されない）が設置され、弾性リセット部材は第二錠止部材４２がロック解除位置に移動した後に第二錠止部材４２を押動してロック位置に復帰移動させることに用いられる。該弾性リセット部材は第二錠止部材４２をロック状態に維持することができ、ロックコア４３が開かれた後、依然としてファスナーヘッド５０を基体に固定された位置に維持することができ、ファスナーヘッド５０が自動的に緩めることを防止し、且つ、ロック操作を行うときに、直接ファスナーヘッド５０により第二錠止部材４２を押動して移動させることができ、第二錠止部材４２を別途手動で押動して移動させる必要がなく、効果的に使用しやすい。本実施例における弾性リセット部材はバネを用い、第二錠止部材４２と基体にいずれもバネに適合するバネ取り付けポスト１７が設置され、バネを位置決めし、バネの緩みを防止することができ、取り付け及び使用が容易である。
【００２４】
第一ロック機構はさらに第一押動部材２１に設置される第一ロックピン２１１を含み、ファスナーヘッド５０に第一ロックピン２１１に適合する第一ロック穴５１が設置され、第一押動部材２１は第一ロックピン２１１が第一ロック穴５１に挿入されてファスナーヘッド５０を基体に固定するまで手動で押動されて横方向に移動することができる。
【００２５】
本実施例において、第一押動部材２１と第二錠止部材４２が直接接続されなく、しかし、使用過程において、第一押動部材２１と第二錠止部材４２が一般的に同期して移動し、特に弾性リセット部材が設置された場合、弾性リセット部材が第二錠止部材４２を第一押動部材２１に押し付けることができるため、第二錠止部材４２は第一押動部材２１に設置されたと見なすことができ、当然、実際の応用において、第二のロック部材４２は第一押動部材２１に直接固定されることもできる。同様に、第一ロックピン２１１が移動部材２２に設置され、移動部材２２が第一押動部材２１に直接接続されずに当接し、同時に、移動部材２２が第二錠止部材４２に当接するため、使用過程において、移動部材２２が第一押動部材２１と第二錠止部材４２に同期して移動し、移動部材２２と第一ロックピン２１１は第一押動部材２１に設置されると見なすことができ、このように各部材の加工と組み立てが容易になり、当然、実際の応用において、第一ロックピン２１１を第一押動部材２１に直接固定することもできる。本実施例において、移動部材２２にストッパポストがあり、第一押動部材２１と移動部材２２の移動に従い、ストッパポストが基体に当接することができ、これにより第一押動部材２１の移動距離を制限し、第一押動部材２１の緩みを防止する。
【００２６】
ファスナーヘッド５０に第一位置決めテーブル５２があり、第一ロック穴５１が第一位置決めテーブル５２に横方向に設置され、基体に第一位置決めテーブル５２に適合する第一位置決め溝１５が設置され、第一位置決めテーブル５２は、第一位置決め溝１５に挿入されてファスナーヘッドを基体に対して第一位置決め穴に平行な方向に沿って移動するように制限することができ、ファスナーヘッド５０が第一ストッパピンに沿って緩めるまで移動することを防止することができ、また他人が第一ストッパピンを暴力で壊すことを防止することができ、本考案のセキュリティ盗難防止性能を効果的に向上させることができる。
【００２７】
本実施例において、ファスナーヘッド５０は二つであるので、本バッグロックをバッグの適切な位置に設置することに利便性を与え、これに対応して、第一ロック機構と第一位置決め溝１５の数はファスナーヘッド５０の数に対応し、当然、実際の応用において、第一ロック機構と第一位置決め溝１５の数はファスナーヘッド５０の数に応じて柔軟に調整されることもでき、これに限定されない。また、本実施例において、第一ロックピン２１１に傾斜した斜面が設置されるので、ファスナーヘッド５０の第一位置決めテーブル５２を第一位置決め溝１５に押圧する過程にまとめることに利便性を与え、第一位置決めテーブル５２を用いて第一ロックピン２１１を押動して移動させ、弾性リセット部材と組み合わせ、これにより第一ロックピン２１１は自動的に第一ロック穴５１に挿入することができ、使用しやすい。
本考案において、第二ロック機構は、さらに第一接続座１１に設置され、その上に第二ロック穴３２１がある第一ロック部材３２と、第二接続座１２に可動に設置され、その上に第二ロック穴３２１に適合する第二ロックピン３３１がある第二ロック部材３３とを含み、第二押動部材３１が駆動機構により第二ロック部材３３に接続されるので、第二押動部材３１により第二ロック部材３３を押動して第二ロックピン３３１が第二ロック穴３２１内に挿入されて第一接続座１１と第二接続座１２を閉鎖状態に固定するまで移動させることが可能である。構造がシンプルで信頼性が高く、加工、組み立て及び使用が容易である。
【００２８】
本実施例において、駆動機構は第二押動部材３１に設置された駆動部材３４を含み、第二ロック部材３３は前後方向に平行な枢着軸３５を介して第二接続座１２に枢着され、第二ロック部材３３に枢着軸３５からオフセットする第一ガイドブロック３６１と第二ガイドブロック３６２があり、駆動部材３４に第一ガイドブロック３６１に適合する第一ガイド面と第二ガイドブロック３６２に適合する第二ガイド面３４２が設置され、駆動部材３４の第二接続座１２に対する左右移動に従い、第一ガイド面と第二ガイド面３４２はそれぞれ第一ガイドブロック３６１と第二ガイドブロック３６２に摺動可能に当接して第二ロック部材３３を枢着軸３５の周りに往復揺動するように駆動することにより第二ロックピン３３１を第二ロック穴３２１に挿入させ又は第二ロック穴３２１から移出させることができる。構造がシンプルで信頼性が高く、加工と組み立てが容易であり、当然、実際の応用において、駆動機構はリンク機構などの他の一般的な機構を用いることもでき、又は第二ロック部材３３は基体に縦方向に移動可能に設置されることもでき、押動部材は傾斜した押動面などにより第二ロック部材３３を押動させて上下移動させて第二ロックピン３３１が第二ロック穴３２１に挿入されることが可能になるようにし、これに限定されなく、これらの駆動構造は本分野において幅広く応用され、当業者により需要に応じて柔軟に選択されてもよく、これに限定されない。本実施例における駆動部材３４に駆動溝３４３があり、第二押動部材３１に駆動溝３４３に挿入された駆動ブロック３１１があり、第二押動部材３１は駆動ブロック３１１と駆動溝３４３との係合により駆動部材３４を押動して左右移動させ、加工と組み立てが容易であり、当然、実際の応用において、駆動部材３４は第二押動部材３１に直接固定され又は他の一般的な接続構造を用いて第二押動部材３１に接続されて第二押動部材３１に従って左右に移動することもできる。
【００２９】
第一ロック部材３２に第二位置決めテーブル３２２があり、第二接続座１２に第二位置決めテーブル３２２に適合する側方向の第二位置決め溝１６が設置され、第一接続座１１と第二接続座１２が閉鎖状態にある場合、第二位置決めテーブル３２２は第二位置決め溝１６に挿入されて第一ロック部材３２の第二接続座１２に対する上下移動を制限し、第一ロック部材３２が第二ロックピン３３１に沿って移動して緩めることを防止でき、且つ他人が第二ロックピン３３１を暴力で壊すことを防止でき、本考案のセキュリティ盗難防止性能を効果的に向上させることができる。
本実施例において、第一ロック部材３２と第二ロック部材３３はいずれも二つであり、バッグフレームに対するロックの堅牢度を向上させることができる。
【００３０】
本考案は上記構造を用いるので、構造全体がよりコンパクトで強固であり、体積が小さく、効果的かつ便利に取り付け及び使用することができる。
【００３１】
上記は本考案の好ましい実施形態に過ぎず、基本的に同じ手段で本考案の目的を達成する技術的解決手段はすべて本考案の保護範囲に属する。
【図１】
0003216289.tif 000003
【図２】
0003216289.tif 000004
【図３】
0003216289.tif 000005
【図４】
0003216289.tif 000006
【図５】
0003216289.tif 000007
【図６】
0003216289.tif 000008
【図７】
0003216289.tif 000009
【図８】
0003216289.tif 000010